(57)【特許請求の範囲】
【請求項１】
投票用紙を用紙取出口から１枚ずつ交付する投票用紙交付装置において、
装置全体の作動を制御する制御部と、
情報を報知する報知部と、
を少なくとも備えており、
前記制御部は、交付開始可能状態にするための初期設定作業を操作者に案内するガイダンスを、前記報知部から報知させる案内部を、有しており、
前記ガイダンスは、初期設定に必要な一連の複数の作業をそれぞれ案内する、一連の複数の案内情報を、含んでおり、
それらの案内情報は、操作者に目視確認作業を要求する第１種案内情報を、少なくとも含んでおり、
前記第１種案内情報で要求された目視確認作業の終了を入力するための確認スイッチが、設けられており、
前記制御部は、前記確認スイッチによる入力が無い場合には前記ガイダンスを続行しないように、前記案内部を制御する、第１種案内制御部を、有している、
ことを特徴とする投票用紙交付装置。
【請求項２】
前記報知部は、情報を音声で発生する音発生部、及び、情報を文字等で表示する表示部の、いずれか一方又は両方を、含んでいる、
請求項１記載の投票用紙交付装置。
【請求項３】
前記案内情報が、操作者に操作作業を要求する第２種案内情報も、含んでおり、
前記第２種案内情報で要求された操作作業の終了を検知するための作業検知センサーが、更に設けられており、
前記制御部は、前記作業検知センサーによる検知が無い場合には前記ガイダンスを続行しないように、前記案内部を制御する、第２種案内制御部を、更に有している、
請求項１又は２に記載の投票用紙交付装置。
【請求項４】
前記報知部が前記音発生部を含んでいる場合において、
前記制御部は、一つの案内情報の音声を途中で中断して次の案内情報の音声に移行させるように、前記案内部を制御する、スキップ部と、
前記スキップ部を作動させる、スキップ作動部と、
を有しており、
前記スキップ作動部は、前記スキップ部を作動させる指示を入力するためのスキップスイッチによる入力が有ると、前記スキップ部を作動させる、操作モードに従って、又は、前記作業検知センサーによる検知又は前記確認スイッチによる入力が有ると、前記スキップ部を作動させる、自動モードに従って、作動するようになっている、
請求項２を引用する請求項３に記載の投票用紙交付装置。
【請求項５】
前記スキップ作動部における前記操作モード及び前記自動モードの内の一方を、任意に選択する、モード選択入力部が、設けられている、
請求項４記載の投票用紙交付装置。
【請求項６】
前記制御部は、次の案内情報の音声に移行する際に、切替音を前記音発生部から発生させる、又は、前記音発生部から音を所定時間発生させない、音声移行部を、有している、
請求項４又は５に記載の投票用紙交付装置。
【発明の詳細な説明】
【技術分野】
【０００１】
本発明は、投票用紙を投票者に交付するための投票用紙交付装置に関する。
【背景技術】
【０００２】
投票用紙交付装置は、投票用紙を自動で計数しながら確実に１枚ずつ交付できるので、選挙において有効に利用されており、特に、複数の選挙が同時に実施される場合に有効に利用されている。そして、複数の選挙が同時に実施される場合には、投票用紙は、複数種類あり、種類毎に、対応する交付装置にセットされる。
【０００３】
交付装置を交付開始可能状態にする作業は、「初期設定作業」と言われている。この初期設定作業は、通常は、電源をオンした後に流れる音声ガイダンスに従って、操作者が行う（特許文献１参照）。音声ガイダンスは、初期設定に必要な作業を、順次、案内音声によって案内している。操作者は、案内される作業を順次行うことによって、初期設定を行う。
【０００４】
ところで、音声ガイダンスによって案内される作業には、操作者による目視確認作業がある。例えば、案内音声が「用紙の種別を確認して下さい」である場合には、操作者は、用紙の種別を目視確認する。そして、音声ガイダンスは、操作者が本当に目視確認したか否かに拘わらず、所定時間経過後に、次の案内音声を流す。
【０００５】
また、音声ガイダンスによって案内される作業には、操作者による操作作業もある。例えば、案内音声が「カバーを開けて下さい」である場合には、操作者は、「カバーを開ける」という操作作業を行う。そして、音声ガイダンスは、目視確認作業の場合も操作作業の場合も、その作業を要求する案内音声が終了した後に、次の案内音声を流す。
【先行技術文献】
【特許文献】
【０００６】
【特許文献１】特開２０００−１２２７号公報
【特許文献２】特許第３４７３１６０号
【特許文献３】特開２０１３−２２２１８４号公報
【特許文献４】特許第３２６３１５７号
【発明の概要】
【発明が解決しようとする課題】
【０００７】
上述した従来の装置では、次のような不具合があった。
（ａ）操作者が目視確認していなくても、音声ガイダンスが続行するので、目視確認作業自体が疎かになる恐れがあり、その結果、投票用紙の誤交付が発生する恐れがある。
（ｂ）案内音声が終了しなければ、その案内音声で要求されている目視確認作業又は操作作業がたとえ終了していたとしても、次の案内音声が流れず、それ故、次の作業を行うことができない。よって、初期設定作業について経験の豊富なサービスマンにとっては、初期設定に係る作業性が悪くなる。
【０００８】
本発明は、少なくとも上記不具合（ａ）を解消できる投票用紙交付装置を提供することを、目的としている。
【課題を解決するための手段】
【０００９】
本発明は、投票用紙を用紙取出口から１枚ずつ交付する投票用紙交付装置において、装置全体の作動を制御する制御部と、情報を報知する報知部と、を少なくとも備えており、前記制御部は、交付開始可能状態にするための初期設定作業を操作者に案内するガイダンスを、前記報知部から報知させる案内部を、有しており、前記ガイダンスは、初期設定に必要な一連の複数の作業をそれぞれ案内する、一連の複数の案内情報を、含んでおり、それらの案内情報は、操作者に目視確認作業を要求する第１種案内情報を、少なくとも含んでおり、前記第１種案内情報で要求された目視確認作業の終了を入力するための確認スイッチが、設けられており、前記制御部は、前記確認スイッチによる入力が無い場合には前記ガイダンスを続行しないように、前記案内部を制御する、第１種案内制御部を、有している、ことを特徴としている。
【００１０】
本発明は、更に、次の構成（Ａ）〜（Ｅ）を採用するのが好ましい。
【００１１】
（Ａ）前記報知部は、情報を音声で発生する音発生部、及び、情報を文字等で表示する表示部の、いずれか一方又は両方を、含んでいる。
【００１２】
（Ｂ）前記案内情報が、操作者に操作作業を要求する第２種案内情報も、含んでおり、前記第２種案内情報で要求された操作作業の終了を検知するための作業検知センサーが、更に設けられており、前記制御部は、前記作業検知センサーによる検知が無い場合には前記ガイダンスを続行しないように、前記案内部を制御する、第２種案内制御部を、更に有している。
【００１３】
（Ｃ）前記報知部が前記音発生部を含んでいる場合において、前記制御部は、一つの案内情報の音声を途中で中断して次の案内情報の音声に移行させるように、前記案内部を制御する、スキップ部と、前記スキップ部を作動させる、スキップ作動部と、を有しており、前記スキップ作動部は、前記スキップ部を作動させる指示を入力するためのスキップスイッチによる入力が有ると、前記スキップ部を作動させる、操作モードに従って、又は、前記作業検知センサーによる検知又は前記確認スイッチによる入力が有ると、前記スキップ部を作動させる、自動モードに従って、作動するようになっている。
【００１４】
（Ｄ）前記（Ｃ）において、前記スキップ作動部における前記操作モード及び前記自動モードの内の一方を、任意に選択する、モード選択入力部が、設けられている。
【００１５】
（Ｅ）前記（Ｃ）又は（Ｄ）において、前記制御部は、次の案内情報の音声に移行する際に、切替音又は所定時間の無音を前記音発生部から発生させる、音声移行部を、有している。なお、「所定時間の無音を前記音発生部から発生させる」とは、「前記音発生部から音を所定時間発生させない」ことと同義である。
【００１６】
なお、以下の記載においては、「案内情報の音声」を「案内音声」と記すこととする。
【発明の効果】
【００１７】
本発明によれば、初期設定作業の実行中に操作者に目視確認作業が要求された場合に、操作者が確認スイッチを押さない間はガイダンスが続行しないようになっているので、操作者は、目視確認作業を行うように促される。したがって、操作者が目視確認を疎かにするのを防止でき、その結果、投票用紙の誤交付が発生するのを防止できる。
【００１８】
前記構成（Ａ）によれば、ガイダンスの案内情報を、音声、又は、文字等の表示、又は、その両方によって、操作者に対して報知できるので、利便性を向上できる。
【００１９】
前記構成（Ｂ）によれば、初期設定作業の実行中に操作者に操作作業が要求された場合に、操作作業の終了が作業検知センサーによって検知されない間はガイダンスが続行しないようになっているので、操作者は、操作作業を行うように促される。したがって、操作者が操作作業を疎かにするのを防止でき、その結果、投票用紙の誤交付が発生するのを防止できる。
【００２０】
前記構成（Ｃ）によれば、スキップ部を作動させることにより、前の案内音声の終了を待つことなく次の案内音声を聞くことができ、すなわち、次の案内音声にスキップでき、次の案内音声で要求される作業を行うことができるので、初期設定作業の作業性を向上できる。
【００２１】
しかも、操作モードの場合には、操作者の意思によってスキップできるので、操作者は自身のペースに合わせて初期設定作業を実行できる。したがって、初期設定作業の確実性を担保しながら作業性を向上できる。
【００２２】
また、自動モードの場合には、スキップスイッチの操作を行うことなく、次々と案内音声をスキップできるので、初期設定作業の作業性をより向上できる。
【００２３】
前記構成（Ｄ）によれば、熟練した操作者が初期設定作業を実行する際に、高い熟練度の操作者の場合には自動モードを選択でき、通常の熟練度の操作者の場合には操作モードを選択できるので、操作者の熟練度に合わせて初期設定作業を実行でき、それ故、初期設定作業の確実性及び作業性を向上できる。
【００２４】
前記構成（Ｅ）によれば、案内音声が次の案内音声にスキップしたことを、操作者に認識させることができるので、操作者は、次の案内音声で要求される作業に迅速に移ることができる。よって、初期設定作業の作業性を更に向上できる。
【図面の簡単な説明】
【００２５】
【図１】本発明の一実施形態による投票用紙交付装置の外観斜視図である。
【図２】図１のII−II断面図である。
【図３】開閉蓋が開いた状態の装置本体の外観斜視図である。
【図４】本実施形態による投票用紙交付装置の制御部のブロック図である。
【図５】本実施形態における作業検知センサーのオン状態を示す側面部分略図である。
【図６】図５の作業検知センサーのオフ状態を示す側面部分略図である。
【図７】本実施形態による投票用紙交付装置の作動を示すフローチャートである。
【図８】図７のフローチャートに続くフローチャートである。
【図９】本実施形態で用いる選挙名プレートの裏面側から見た斜視図である。
【図１０】別の例の作業検知センサーのオン状態を示す側面部分略図である。
【図１１】図１０の作業検知センサーのオフ状態を示す側面部分略図である。
【図１２】変形構成を採用した投票用紙交付装置の外観斜視図である。
【発明を実施するための形態】
【００２６】
図１は、本発明の一実施形態の投票用紙交付装置の外観斜視図である。図２は、図１のII−II断面図である。この交付装置１０は、装置本体１とコントローラ部９とからなっている。ここでは、装置本体１とコントローラ部９とは、別体に設けられている。装置本体１は、後述するように、装置全体の作動を制御する制御部を、備えている。また、交付装置１０は、情報を報知する報知部を、備えている。報知部は、後述するように、装置本体１のスピーカー（音発生部）と、コントロール部９の表示パネル（表示部）と、を含んでいる。
【００２７】
装置本体１は、略直方体形状の筐体であり、上カバー（開閉蓋）１１１を有している。図３は、上カバー１１１が開いた状態の装置本体１の外観斜視図である。上カバー１１１は、装置本体１の上壁１１の略後半部と後壁１５の上部とが一体となって構成されている。上カバー１１１は、前縁部１１２を支点として、上下に回動することにより、開閉するようになっている。
【００２８】
装置本体１は、内部に、複数枚の投票用紙Ｐを収容する収容部２と、収容部２において最端に位置する１枚の投票用紙Ｐを、収容部２から取り出して、搬送路３１を通して搬送して、用紙取出口３２から突出させる、用紙送出機構３と、用紙送出機構３の途中から、搬送中の投票用紙Ｐを回収する、回収機構４と、回収された投票用紙Ｐを収容する回収部５と、を有している。上カバー１１１は、回収部５の一部及び収容部２の全部を覆っている。上カバー１１１は、外部から収容部２を視認できるように構成されており、具体的には、透明に形成されている。
【００２９】
装置本体１は、後壁１５の片隅に、電源（図示せず）からの通電をオンオフする電源スイッチ１０１と、電源へのコネクタ１０２と、を有している。更に、装置本体１は、装置全体の作動を制御する制御部７０（図４）を有している。図４は、制御部７０のブロック図である。制御部７０は、ＣＰＵ、ＲＯＭ、ＲＡＭ等により、実現されている。
【００３０】
コントローラ部９は、コード９１を介して、装置本体１の制御部７０に接続されており、制御部７０に制御信号を送信するようになっている。コントローラ部９は、操作キー９２、９３、表示パネル（表示部）９４、確認スイッチ９５、及び消音スイッチ９６を有している。
【００３１】
確認スイッチ９５は、押されることによってオンするようになっている。また、確認スイッチ９５は、表示ランプを構成するＬＥＤと一体となっている。ＬＥＤとしては、白色ＬＥＤが好ましく用いられている。
【００３２】
収容部２は、複数枚の投票用紙Ｐを収容する空間として構成されており、立壁２１と底壁２２と両側壁２３とで囲まれている。立壁２１は、上部が前になるように少し傾斜しており、収容部２と用紙送出機構３とを隔てている。底壁２２は、用紙送出機構３に向けて少し低くなるように傾斜している。投票用紙Ｐは、図２に示されるように、立壁２１に沿うように立てた状態で、且つ、立壁２１側から重ねた状態で、収容部２に収容される。底壁２２には、収容した投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００３３】
用紙送出機構３は、操作キー９２又は９３を１回オンすると、次のように１回作動するようになっている。すなわち、図２に示されるように、まず、取出ローラ３３１及び捌き部材３３２によって、収容部２において最も前に（すなわち最端に）位置している投票用紙Ｐが、収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対のセンサー３６１によって検知されると、全てのローラの作動が停止する。次いで、用紙取出口３２から突出した投票用紙Ｐが、投票者によって抜き取られると、抜き取り検出部材３５１の回動がセンサー３６２によって検知され、装置本体１の前部に内蔵されたスピーカー（音発生部）６２から選挙の種類等を告げる音声が流れる。
【００３４】
回収機構４は、搬送路３１内に突出するように回動可能な排除ガイド部材４１を、備えている。排除ガイド部材４１は、搬送路３１内に突出するように回動すると、搬送ローラ３４３との間に、搬送路３１と回収部５とを連通させる通路４０を構成し、それによって、搬送されて来る投票用紙Ｐを搬送路３１から回収部５へ逃がすようになっている。なお、排除ガイド部材４１は、例えば、投票用紙Ｐの重なりがセンサー３６１によって検知されると、回動して搬送路３１内に突出するように、制御部７０によって制御されている。それ故、回収機構４によれば、重なった投票用紙Ｐが用紙取出口３２から突出するのを防止できる。
【００３５】
回収部５は、通路４０を搬送されて来た投票用紙Ｐが積載されていく空間として構成されており、底壁５１と両側壁５３とで囲まれている。底壁５１は、後方向に高くなるように傾斜している。両側壁５３は、例えば、収容部２を構成している両側壁２３と同じ壁である。
【００３６】
また、装置本体１は、内部に、照明具６１を有している。照明具６１は、上カバー１１１の前縁部１１２の内面に、設けられており、上カバー１１１が閉じた状態で、収容部２及び回収部５を照らすように、配置されている。照明具６１としては、演色性が優れているという観点から、白色ＬＥＤ又は白色系電球が好ましく用いられている。
【００３７】
制御部７０は、図４に示されるように、コントローラ部９からの信号を受けて、用紙送出機構３を作動させる、送出制御部７１を、有している。
【００３８】
更に、制御部７０は、初期設定作業に関連して、案内部７３、第１種案内制御部７４、第２種案内制御部７５、スキップ部７６、スキップ作動部７７、及び音声移行部７８を、有している。
【００３９】
初期設定作業とは、投票用紙交付装置１０を交付開始可能状態にする作業を意味する。一般には、電源スイッチ１０１をオンした後に必要とされる作業である。
【００４０】
案内部７３は、初期設定作業を操作者に案内するガイダンスを、報知部（スピーカー６２及び表示パネル９４）から報知させるようになっている。
【００４１】
ガイダンスは、初期設定に必要な一連の複数の作業をそれぞれ案内する、一連の複数の案内情報を、含んでいる。それらの案内情報は、操作者に目視確認作業を要求する第１種案内情報を、少なくとも含んでいる。例えば、「選挙名を確認して下さい」という案内情報は、目視確認作業を要求しているので、第１種案内情報である。
【００４２】
そして、確認スイッチ９５は、第１種案内情報で要求された目視確認作業の終了を入力できるように、設けられている。そして、第１種案内制御部７４は、確認スイッチ９５による入力が無い場合にはガイダンスを続行しないように、案内部７３を制御するようになっている。
【００４３】
一方、ガイダンスの案内情報は、操作者に操作作業を要求する第２種案内情報も、含んでいるのが好ましい。例えば、「上カバーを開けて下さい」という案内情報は、「開ける」という操作作業を要求しているので、第２種案内情報である。この場合、装置本体１には、第２種案内情報で要求された操作作業の終了を検知するための作業検知センサーが、設けられている。例えば、上カバー１１１が開くとオンし且つ上カバー１１１が閉じるとオフする、作業検知センサー６５（図５及び図６）が、設けられている。そして、第２種案内制御部７５は、作業検知センサーによる検知が無い場合にはガイダンスを続行しないように、案内部７３を制御するようになっている。
【００４４】
作業検知センサー６５は、図５及び図６に示されるように、上カバー１１１の前縁部１１２付近に設けられている。作業検知センサー６５は、スイッチ本体６５１とアクチュエータ６５２と操作体６５３とからなるマイクロスイッチで構成されている。操作体６５３は、上カバー１１１の前縁部１１２の回動軸と共に回動するように、前縁部１１２に固定されている。作業検知センサー６５は、上カバー１１１が閉じている時は、図５に示されるように、操作体６５３がアクチュエータ６５２を押した状態、すなわち、オン状態であり、上カバー１１１が開いている時は、図６に示されるように、操作体６５３がアクチュエータ６５２から離れた状態、すなわち、オフ状態である。これにより、作業検知センサー６５は、上カバー１１１の開閉をオン・オフで検知するようになっている。
【００４５】
そして、案内部７３は、ガイダンスの案内情報の音声（案内音声）をスピーカー６２から発生させると同時に、当該案内情報を文字等で表示パネル９４に表示するようになっている。
【００４６】
スキップ部７６は、一つの案内音声を途中で中断して次の案内音声に移行させるように、案内部７３を制御するようになっている。スキップ作動部７７は、操作モード又は自動モードに従って、スキップ部７６を作動させるようになっている。操作モードとは、スキップ部７６を作動させる指示を入力するためのスキップスイッチによる入力が有ると、スキップ部７６を作動させる、モードである。なお、スキップスイッチは、消音スイッチ９６と兼用されている。消音スイッチ９６は、初期設定作業後に押すと、その後の音声の発生を停止するようにスピーカー６２を制御するようになっている。自動モードとは、作業検知センサーによる検知又は確認スイッチ９５による入力が有ると、スキップ部７６を作動させる、モードである。
【００４７】
なお、スキップ作動部７７が操作モード又は自動モードのいずれで作動するかは、モード選択入力部によって、任意に選択できるようになっている。具体的には、モード選択入力部は、消音スイッチ９６と兼用されている。すなわち、通常は操作モードに設定されており、消音スイッチ９６を長押しすると、自動モードに切り替わるようになっており、再度、消音スイッチ９６を長押しすると、操作モードに戻るようになっている。
【００４８】
音声移行部７８は、スキップ部７６が作動して次の案内音声に移行する際に、切替音又は所定時間の無音をスピーカー６２から発生させるようになっている。
【００４９】
そして、上記構成の交付装置１０において、初期設定作業は次のように実行される。
【００５０】
［初期設定作業の第１例］
スキップ部７６、スキップ作動部７７、及び音声移行部７８を、作動させない場合の、初期設定作業である。図７及び図８は、初期設定作業の流れを示すフローチャートである。
【００５１】
（１）操作者が、装置本体１の電源スイッチ１０１をオンすると、案内部７３が作動を開始して、ガイダンスが始まり、初期設定作業の案内が始まる（ステップ（Ｓ）１）。
【００５２】
（２）「選挙名プレートを入れ、確認スイッチ（ＳＷ）を押して下さい」との案内音声が流れる（Ｓ２）。このとき、同内容の案内情報が表示パネル９４に表示され、また、確認スイッチ９５が点灯する。
【００５３】
なお、ここでは、操作者に確認スイッチ９５の押下を促すために、確認スイッチ９５を点灯させているが、代わりに、確認スイッチ９５を点滅させてもよく、又は、表示パネル９４の液晶画面のバックライトを点滅させてもよい。
【００５４】
図９は、ここで使用される選挙名プレート８を示している。プレート８の表面８１には、選挙名、例えば「参議院比例代表選挙」が印刷されている。プレート８の裏面８２には、４個の識別符号用印刷領域８２１、８２２、８２３、８２４が設定されており、任意の組み合わせの領域のみに識別符号が印刷されている。ここでは、領域８２２、８２３のみに識別符号が印刷されており、これは、「参議院比例代表選挙」を示している。このように、識別符号が印刷された領域の組み合わせによって、選挙名が特定されるようになっている。一方、装置本体１の前面の上部には、プレート用取付面８５（図１）が設けられており、取付面８５には、識別符号を検知するための４個の透過型センサー（図示せず）が設けられている。４個の透過型センサーは、プレート８が取付面８５に取り付けられた際に４個の領域８２１、８２２、８２３、８２４のそれぞれに対向するように、配置されている。したがって、プレート８が取付面８５に取り付けられると、４個の領域８２１、８２２、８２３、８２４の内の、識別符号が印刷された領域の組み合わせが、透過型センサーによって検知され、これにより、選挙名が特定される。
【００５５】
したがって、このステップＳ２においては、選挙名プレート８を入れると、自動的に選挙名が特定されるが、選挙名プレート８を正しく入れていない場合があり得るので、選挙名プレートが正しく入っていることを担保するために、確認スイッチ９５を押すこととしている。
【００５６】
（３）確認スイッチ９５が押されない間は、第１種案内制御部７４が作動するので、ガイダンスは続行されず、すなわち、次の案内音声は流れず、また、当該次の案内情報は表示パネル９４に表示されない（Ｓ３）。
【００５７】
確認スイッチ９５が押されると、次の案内音声に移行する（Ｓ３）。このとき、確認スイッチ９５は消灯する。
【００５８】
（４）「参議院比例代表を選定」及び「正しければ確認スイッチを押して下さい」との案内音声が流れる（Ｓ４）。このとき、同内容の案内情報が表示パネル９４に表示され、また、確認スイッチ９５が点灯する。このステップにおいては、「正しければ」というのは、操作者に要求される目視確認作業であるので、目視確認した後に確認スイッチ９５を押すこととしている。
【００５９】
（５）確認スイッチ９５が押されない間は、第１種案内制御部７４が作動するので、ガイダンスは続行されず、すなわち、次の案内音声は流れず、また、当該次の案内情報は表示パネル９４に表示されない（Ｓ５）。
【００６０】
確認スイッチ９５が押されると、次の案内音声に移行する（Ｓ５）。このとき、確認スイッチ９５は消灯する。
【００６１】
（６）「上カバーを開けて下さい」との案内音声が流れる（Ｓ６）。このとき、同内容の案内情報が表示パネル９４に表示される。
【００６２】
（７）「上カバーを開ける」ことは、操作者に要求される操作作業であるので、上カバー１１１が開くと、それが、作業検知センサー６５によって検知される。
【００６３】
作業検知センサー６５によって検知されない間は、第２種案内制御部７５が作動するので、ガイダンスは続行されず、すなわち、次の案内音声は流れず、また、当該次の案内情報は表示パネル９４に表示されない（Ｓ７）。
【００６４】
作業検知センサー６５によって検知されると、次の案内音声に移行する（Ｓ７）。
【００６５】
（８）「白いレバーを突きあたりまで引いて下さい」、「用紙をよくさばいてセットして下さい」、及び「セットした用紙の選挙名が正しければ確認スイッチを押して下さい」との案内音声が、続けて流れる（Ｓ８〜１０）。このとき、同内容の案内情報が表示パネル９４に順に表示され、また、確認スイッチ９５が点灯する。なお、白いレバーは、押さえ部材２５（図２、図３）であり、また、１番目及び２番目の案内情報は、操作者の操作作業を要求しているが、センサーを設けて検知するほどのことではないので、センサーによる検知は、していない。３番目の案内情報の「正しければ」というのは、操作者に要求される目視確認作業であるので、目視確認した後に確認スイッチ９５を押すこととしている。
【００６６】
（９）確認スイッチ９５が押されない間は、第１種案内制御部７４が作動するので、ガイダンスは続行されず、すなわち、次の案内音声は流れず、また、当該次の案内情報は表示パネル９４に表示されない（Ｓ１１）。
【００６７】
確認スイッチ９５が押されると、次の案内音声に移行する（Ｓ１１）。このとき、確認スイッチ９５は消灯する。
【００６８】
（１０）「上カバーを閉めて、用紙設定スイッチを押して下さい」との案内音声が、流れる（Ｓ１２）。このとき、同内容の案内情報が表示パネル９４に表示される。
【００６９】
なお、用紙設定スイッチは、図示していないが、コントロール部９の背面に設けられている。制御部７０は、用紙設定スイッチが押されると、用紙送出機構３を１回作動させるようになっている。すなわち、用紙設定スイッチを押すと、用紙送出機構３が１回作動して、収容部２における最端の投票用紙Ｐが、収容部２から取り出され、回収部４へ強制的に回収される。このとき、センサー３６１が、投票用紙Ｐの透過光量を検出する。制御部７０は、センサー３６１によって検出された透過光量を基準値として設定し、該基準値と、それ以降に収容部２から取り出される投票用紙Ｐの透過光量と、を比較して、基準値から外れる透過光量の投票用紙Ｐを回収部４へ強制的に回収するようになっている。これにより、種類の異なる（すなわち選挙名が異なる）投票用紙が交付されるのが、防止される。すなわち、投票用紙の誤交付が防止される。
【００７０】
（１１）上カバー１１１が閉まると、それが、作業検知センサー６５によって検知されるので、次の案内音声に移行しようとするが、このステップでは、用紙設定スイッチが押されない間は、ガイダンスは続行されず、すなわち、次の案内音声は流れず、また、当該次の案内情報は表示パネル９４に表示されない（Ｓ１３）。
【００７１】
用紙設定スイッチが押されると、次の案内音声に移行する（Ｓ１３）。
【００７２】
（１２）「用紙が１枚排出されましたか」及び「正しければ確認スイッチを押して下さい」との案内音声が、流れる（Ｓ１４）。このとき、同内容の案内情報が表示パネル９４に表示され、また、確認スイッチ９５が点灯する。「正しければ」というのは、操作者に要求される目視確認作業であるので、目視確認した後に確認スイッチ９５を押すこととしている。なお、操作者は、上カバー１１１を開けて、回収部４に排出された投票用紙が本当に１枚であるか否かを直接に確認する。
【００７３】
（１３）確認スイッチ９５が押されない間は、第１種案内制御部７４が作動するので、ガイダンスは続行されず、すなわち、次の案内音声は流れず、また、当該次の案内情報は表示パネル９４に表示されない（Ｓ１５）。
【００７４】
確認スイッチ９５が押されると、次の案内音声に移行する（Ｓ１５）。このとき、確認スイッチ９５は消灯する。
【００７５】
（１４）「上カバーを閉めて下さい」との案内音声が、流れる（Ｓ１６）。このとき、同内容の案内情報が表示パネル９４に表示される。
【００７６】
（１５）「上カバーを閉める」ことは、操作者に要求される操作作業であるので、上カバー１１１が閉まると、それが、作業検知センサー６５によって検知される。
【００７７】
作業検知センサー６５によって検知されない間は、第２種案内制御部７５が作動するので、ガイダンスは続行されず、すなわち、次の案内音声は流れず、また、当該次の案内情報は表示パネル９４に表示されない（Ｓ１７）。
【００７８】
作業検知センサー６５によって検知されると、次の案内音声に移行する（Ｓ１７）。
【００７９】
（１６）「準備完了」との案内音声が、流れる（Ｓ１８）。このとき、同内容の案内情報が表示パネル９４に表示される。
【００８０】
（１７）表示パネル９４に、図８のステップＳ１９に示されるように、選挙名、合計欄、男性欄、及び女性欄が、表示される（Ｓ１９）。
【００８１】
（１８）こうして、初期設定作業が終了し（Ｓ２０）、これにより、交付装置１０は、交付開始可能状態になる。
【００８２】
そして、操作者は、交付作業を実施する。すなわち、操作者は、投票者が一人来ると、操作キー９２又は９３を１回オンする。このとき、投票者が男性の場合には男性用の操作キー９２をオンし、投票者が女性の場合には女性用の操作キー９３をオンする。
【００８３】
操作キー９２又は９３が１回オンされると、用紙送出機構３が１回作動して、収容部２における最端の投票用紙Ｐが、収容部２から取り出され、搬送路３１を通して搬送されて、用紙取出口３２から突出する。用紙取出口３２から突出した投票用紙Ｐは、投票者によって抜き出され、これにより、投票者の男女別の数が、カウントされて、表示パネル９４に表示される。抜き出された投票用紙Ｐは、投票に使用される。操作キー９２又は９３は、投票者が来る度に、１回オンされ、その度に、用紙送出機構３は、１回作動する。
【００８４】
以上のようにして、投票用紙の交付作業は、行われる。
【００８５】
上記構成の交付装置１０によれば、次のような効果を発揮できる。
【００８６】
（ａ）初期設定作業の実行中に操作者に目視確認作業が要求された場合に、操作者が確認スイッチ９５を押さない間は次の案内音声に移行せず、また、当該次の案内情報が表示パネル９４に表示されない（すなわちガイダンスが続行しない）ようになっているので、操作者に対して、目視確認作業を行うように促すことができる。したがって、操作者が目視確認を疎かにするのを防止でき、その結果、投票用紙の誤交付が発生するのを防止できる。
【００８７】
（ｂ）初期設定作業の実行中に操作者に操作作業が要求された場合に、操作作業の終了が作業検知センサー６５によって検知されない間は次の案内音声に移行せず、また、当該次の案内情報が表示パネル９４に表示されない（すなわちガイダンスが続行しない）ようになっているので、操作者に対して、操作作業を行うように促すことができる。したがって、操作者が操作作業を疎かにするのを防止でき、その結果、投票用紙の誤交付が発生するのを防止できる。
【００８８】
［初期設定作業の第２例］
スキップ部７６、スキップ作動部７７、及び音声移行部７８を、作動させた場合の、且つ、操作モードの場合の、初期設定作業である。
【００８９】
図７及び図８に示されるフローチャートにおいて、Ｋａ〜Ｋｆで示された時点において、操作者がスキップスイッチ（消音スイッチ）９６を押すと、スキップ作動部７７が作動して、スキップ部７６が作動し、それにより、前の案内音声が途中で中断して次の案内音声が流れ、すなわち、次の案内音声にスキップするとともに当該次の案内情報が表示パネル９４に表示される。
【００９０】
例えば、ステップＳ２〜Ｓ４において、ステップＳ２の案内音声が流れている最中に、確認スイッチ９５を押して（Ｓ３）直ぐに（すなわちＫａの時点で）スキップスイッチ９６を押すと、ステップＳ２の案内音声が途中で中断して、ステップＳ４の案内音声が流れるとともにステップＳ４の案内情報が表示パネル９４に表示される。これは、ステップＳ４〜Ｓ６、ステップＳ１０〜Ｓ１２、及びステップＳ１４〜Ｓ１６においても、同様である。
【００９１】
また、ステップＳ６〜Ｓ８において、ステップＳ６の案内音声が流れている最中に、作業検知センサー６５がオンして（Ｓ７）直ぐに（すなわちＫｃの時点で）スキップスイッチ９６を押すと、ステップＳ６の案内音声が途中で中断して、ステップＳ８の案内音声が流れるとともにステップＳ８の案内情報が表示パネル９４に表示される。
【００９２】
更に、音声移行部７８も作動しているので、前の案内音声の中断と次の案内音声の開始との間に、例えば「ピー」という切替音、又は、例えば１〜２秒の所定時間の無音が、スピーカー６２から発生する。
【００９３】
上記構成の交付装置１０によれば、上記第１例の場合と同様の効果を発揮できるとともに、次のような効果を発揮できる。
【００９４】
（ｃ）操作者は、スキップスイッチ９６を押すことにより、前の案内音声の終了を待つこと無く、次の案内音声を聞くことができ、すなわち、次の案内音声にスキップできるとともに当該次の案内情報を表示パネル９４に表示できる。したがって、操作者は、前の案内音声で要求された目視確認作業又は操作作業が終了したら、直ぐに、次の案内情報で要求される作業に移ることができる。よって、初期設定作業の作業性を向上できる。しかも、操作者の意思によってスキップできるので、ガイダンスの進み具合を操作者のペースに合わせることができる。
【００９５】
（ｄ）音声移行部７８が作動することにより、操作者は、次の案内音声の開始を明確に認識できるので、次の案内情報で要求される作業に迅速に移ることができる。よって、初期設定作業の作業性を更に向上できる。
【００９６】
［初期設定作業の第３例］
スキップ部７６、スキップ作動部７７、及び音声移行部７８を、作動させた場合の、且つ、自動モードの場合の、初期設定作業である。
【００９７】
図７及び図８に示されるフローチャートにおいて、Ｋａ〜Ｋｆで示された時点において、自動的に、スキップ作動部７７が作動して、スキップ部７６が作動し、それにより、前の案内音声が途中で中断して次の案内音声が流れるとともに当該次の案内情報が表示パネル９４に表示される。
【００９８】
例えば、ステップＳ２〜Ｓ４において、ステップＳ２の案内音声が流れている最中に、確認スイッチ９５を押すと（Ｓ３）直ぐに（すなわちＫａの時点で）、ステップＳ２の案内音声が途中で中断して、ステップＳ４の案内音声が流れるとともにステップＳ４の案内情報が表示パネル９４に表示される。これは、ステップＳ４〜Ｓ６、ステップＳ１０〜Ｓ１２、及びステップＳ１４〜Ｓ１６においても、同様である。
【００９９】
また、ステップＳ６〜Ｓ８において、ステップＳ６の案内音声が流れている最中に、作業検知センサーがオンすると（Ｓ７）直ぐに（すなわちＫｃの時点で）、ステップＳ６の案内音声が途中で中断して、ステップＳ８の案内音声が流れるとともにステップＳ８の案内情報が表示パネル９４に表示される。
【０１００】
更に、音声移行部７８も作動しているので、前の案内音声の中断と次の案内音声の開始との間に、例えば「ピー」という切替音、又は、例えば１〜２秒の所定時間の無音が、スピーカー６２から発生する。
【０１０１】
上記構成の交付装置１０によれば、上記第１例及び第２例の場合と同様の効果を発揮できるとともに、次のような効果を発揮できる。
【０１０２】
（ｅ）操作者は、前の案内音声で要求された目視確認作業又は操作作業が終了したら、自動的に、直ぐに、次の案内情報で要求される作業に移ることができる。よって、初期設定作業の作業性を更に向上できる。
【０１０３】
なお、上記構成の交付装置１０は、次のような変形構成を採用してもよい。
【０１０４】
（ｉ）報知部は、スピーカー（音発生部）６２及び表示パネル（表示部）９４のいずれか一方を、含んでいなくてもよい。報知部がスピーカー６２を含んでいない場合には、案内部７３は、ガイダンスの案内情報を、スピーカー６２から音声として報知させることはなく、表示パネル９４に表示させるように、作動する。又は、報知部が表示パネル９４を含んでいない場合には、案内部７３は、ガイダンスの案内情報を、表示パネル９４から報知させることはなく、スピーカー６２から音声として報知させるように、作動する。
【０１０５】
（ii）報知部がスピーカー６２及び表示パネル９４の両方を含んでいる場合であっても、案内部７３は、ガイダンスの案内情報を、スピーカー６２及び表示パネル９４のいずれか一方のみから報知させるように、作動してもよい。
【０１０６】
（iii）図５に示されるように、操作モードの場合でも自動モードの場合でも、更にＫｇ及び／又はＫｈの時点で、スキップ作動部７７が作動して、スキップ部７６が作動するようにしてもよい。これによれば、初期設定作業の作業性をより向上できる。
【０１０７】
（iv）初期設定作業のガイダンスには、第１種案内情報及び第２種案内情報の他に、単に注意を喚起するだけであり且つ何らの作業も要求しない第３種案内情報を、含んでもよい。また、第３種案内情報の案内音声が流れている時には、いつでも、スキップスイッチ９６を押すことによりスキップ作動部７７を作動させてスキップ部７６を作動させるようにしてもよい。
【０１０８】
（ｖ）操作モードと自動モードとの間の切替は、消音スイッチ９６とは別のスイッチで行うようにしてもよい。なお、そのスイッチは、既存のスイッチでもよく、新たに設けられたスイッチでもよい。
【０１０９】
（vi）上カバー１１１の開閉をオン・オフ検知する作業検知センサーとしては、図１０及び図１１に示される作業検知センサー６７を用いてもよい。作業検知センサー６７は、遮光部６７１とフォトインタラプタ６７２とで構成されている。遮光部６７１は、上カバー１１１の前縁部１１２の回動軸と共に回動するように、前縁部１１２に固定されている。作業検知センサー６７は、上カバー１１１が閉じている時は、図１０に示されるように、遮光部６７１がフォトインタラプタ６７２を遮光した状態、すなわち、オン状態であり、上カバー１１１が開いている時は、図１１に示されるように、遮光部６７１がフォトインタラプタ６７２を遮光していない状態、すなわち、オフ状態である。これにより、作業検知センサー６７は、上カバー１１１の開閉をオン・オフで検知するようになっている。
【０１１０】
（vii）装置本体１とコントローラ部９とを、一体に設ける。具体的には、図８に示されるように、コード９１が省かれて、コントローラ部９が装置本体１に合体されている。これによれば、交付装置１０の、搬送、設置、及び保管の各作業が、容易となる。
【０１１１】
（viii）上述したように、初期設定作業は、電源スイッチをオンする度に毎回開始するようにしてもよいが、工場出荷後に電源スイッチを最初にオンした時には必ず開始するようにし、且つ、その後は操作者が（ａ）「初期設定作業は行わず、前回の設定を採用する」又は（ｂ）「初期設定作業を開始する」を選択できるようにしてもよい。
【０１１２】
（ix）ガイダンスにおける案内情報は、上記の内容及び表現に限るものではなく、適宜に変更してもよい。
【産業上の利用可能性】
【０１１３】
本発明の投票用紙交付装置は、投票用紙の誤交付が発生する恐れを低減できるので、産業上の利用価値が大である。
【符号の説明】
【０１１４】
１０  投票用紙交付装置  ３２  用紙取出口  ６２  音発生部  ７０  制御部
７３  案内部  ７４  第１種案内制御部  ７５  第２種案内制御部  ７６  スキップ部
７７  スキップ作動部  ７８  音声移行部  ９５  確認スイッチ
９６  スキップスイッチ（消音スイッチ）
【図１】
0006385249.tif 000002
【図２】
0006385249.tif 000003
【図３】
0006385249.tif 000004
【図４】
0006385249.tif 000005
【図５】
0006385249.tif 000006
【図６】
0006385249.tif 000007
【図７】
0006385249.tif 000008
【図８】
0006385249.tif 000009
【図９】
0006385249.tif 000010
【図１０】
0006385249.tif 000011
【図１１】
0006385249.tif 000012
【図１２】
0006385249.tif 000013